(57)【要約】【課題】放送とネット動画コンテンツ配信を融合したテレビを提供する。【解決手段】リモコン１０により複数のチャンネルを切替え可能であり、ネットワークを経由して受信した動画コンテンツを再生可能なテレビ１００であって、リモコン１０は、複数のチャンネルのうちいずれかのチャンネルを選択するための複数のチャンネル選択ボタン１８を備え、複数のチャンネル選択ボタン１８のうち、ＴＶチューナ１２０により放送が設定されていない空チャンネルを選択するためのチャンネル選択ボタン１８が、ユーザにより操作されると、動画コンテンツを再生可能とする信号を送信する。ＳＴＢ１０５は、当該動画コンテンツを再生可能とする信号を受信したことに応じて、所定の規則で選択されていた動画コンテンツをテレビ１００に出力する。【選択図】図３
2011135159.tif 000002
【特許請求の範囲】
【請求項１】
リモコンにより複数のチャンネルを切替え可能であり、ネットワークを経由して受信した動画コンテンツを再生可能なテレビであって、
当該リモコンは、
前記複数のチャンネルのうち、いずれかのチャンネルを選択するための複数のチャンネル選択ボタンと、当該複数のチャンネル選択ボタンのうち、ＴＶチューナにより放送が設定されていない空チャンネルを選択するためのチャンネル選択ボタンが、ユーザにより操作されると、動画コンテンツを再生可能とする信号を送信する送信デバイスと、を備え、
当該テレビは、
当該動画コンテンツを再生可能とする信号を受信したことに応じて、選択部により選択されていた動画コンテンツを出力する出力部を備えるテレビ。
【請求項２】
前記選択部は、当該動画コンテンツを再生可能とする信号を受信する前に、受信した放送番組表に基づいて、動画コンテンツを選択する、請求項１に記載のテレビ。
【請求項３】
前記選択部は、前記放送番組表に基づいて、前記空チャンネル以外のチャンネルで、放送されていないジャンルの動画コンテンツを選択する、請求項２に記載のテレビ。
【請求項４】
前記選択部は、前記リモコンから所定数以上のリモコン信号を受信した際に、動画コンテンツを選択する、請求項１から請求項３のいずれかに記載のテレビ。
【請求項５】
前記選択部が前記動画コンテンツを選択した後に、前記空チャンネルに前記動画コンテンツが選択されたことを通知する請求項１から請求項４のいずれかに記載のテレビ。
【請求項６】
前記動画コンテンツが選択されていることを通知するとは、前記ユーザに選択されている放送とともに、前記動画コンテンツを出力することで通知する請求項５に記載のテレビ。
【請求項７】
前記動画コンテンツが選択されていることを通知するとは、前記ユーザに選択されている放送とともに、前記動画コンテンツのダイジェストを出力することで通知する請求項５に記載のテレビ。
【請求項８】
リモコンにより複数のチャンネルを切替え可能であり、ネットワークを経由して受信した動画コンテンツをテレビに出力するテレビシステムであって、
ＴＶチューナにより放送が設定されていない空チャンネルのためのチャンネル選択ボタンを割当てるセット・トップ・ボックスと、
前記セット・トップ・ボックスが当該チャンネル選択ボタンの切替え信号を前記リモコンから受信したことに応じて、予め選択された動画コンテンツを出力する出力部を備えるテレビと、を備えるテレビシステム。
【請求項９】
リモコンにより複数のチャンネルを切替え可能であり、ネットワークを経由して受信した動画コンテンツをテレビに出力するテレビシステムが実行する方法であって、
セット・トップ・ボックスが、ＴＶチューナにより放送が設定されていない空チャンネルのためのチャンネル選択ボタンを割当てるステップと、
前記テレビが、前記セット・トップ・ボックスが当該チャンネル選択ボタンの切替え信号を前記リモコンから受信したことに応じて、選択された動画コンテンツを出力するステプと、を備える方法。
【請求項１０】
リモコンにより複数のチャンネルを切替え可能であり、ネットワークを経由して受信した動画コンテンツをテレビに出力するテレビシステムが実行するプログラムであって、
セット・トップ・ボックスに、ＴＶチューナにより放送が設定されていない空チャンネルのためのチャンネル選択ボタンを割当てるステップを実行させるためのプログラムと、
前記テレビに、前記セット・トップ・ボックスが当該チャンネル選択ボタンの切替え信号を前記リモコンから受信したことに応じて、選択された動画コンテンツを出力するステプを実行させるためのプログラムと、を備えるプログラム。
【発明の詳細な説明】
【技術分野】
【０００１】
本発明は、動画コンテンツを出力するテレビ、テレビシステム、方法、プログラムに関し、特に、ＴＶチューナによる放送とインターネットで配信される動画コンテンツ（ネット動画）を融合したテレビ、テレビシステム、方法、プログラムに関する。
【背景技術】
【０００２】
近年、衛星放送や地上波の電波放送網で放送される動画コンテンツのみならず、ケーブルテレビで配信される動画コンテンツや、インターネットで配信される共有動画コンテンツ等、様々な動画コンテンツがデジタルテレビ等の出力装置で視認することが可能となってきている（例えば、非特許文献１）。
【先行技術文献】
【特許文献】
【０００３】
【特許文献１】特開２００６−０９９３７９号公報
【非特許文献】
【０００４】
【非特許文献１】パナソニック株式会社、“先進機能  Ｚシリーズ  プラズマテレビ  液晶テレビ  ビエラ  Ｐａｎａｓｏｎｉｃ”、［ｏｎｌｉｎｅ］、［平成２１年１２月３日検索］、インターネット＜ＵＲＬ：ｈｔｔｐ：//ｐａｎａｓｏｎｉｃ.ｊｐ/ｖｉｅｒａ/ｐｒｏｄｕｃｔｓ/ｚ１/ａｄｖａｎｃｅ.ｈｔｍｌ＞
【発明の概要】
【発明が解決しようとする課題】
【０００５】
しかしながら、これらの衛生放送、地上波、ケーブルテレビ、ネット動画の放送種別を、切替える際には、リモコンで「１」から「１２」までのチャンネル番号に対応するボタンではなく、一度、「入力切替」のような放送（配信）種別を切替えるためのボタンを押して、これらの種別を指定してから、実際のチャンネル番号を押すといった操作が必要となる。すなわち、放送（配信）形態を超えて、チャンネルを切替える際には、これらの放送形態（配信形態）の違いを、ユーザが意識しなくては、チャンネルを切替えることができない。
【０００６】
そこで、地上波のテレビ放送と、インターネットを融合する技術としては、例えば、テレビ番組表に、対応するＵＲＬ（Ｕｎｉｖｅｒｓａｌ  Ｒｅｓｏｕｒｃｅ  Ｌｏｃａｔｏｒ）と、そのホームページをあわせて表示することが知られている（例えば、特許文献１）。しかし、地上波及び配信されるネット動画との融合という観点では、さらなる改善の余地が残されている。
【０００７】
本発明者は、リモコンのチャンネル切替えに使用される「１」から「１２」までのボタンのうち、ＴＶチューナに放送が設定されていない空チャンネルで、ネット動画の動画コンテンツを配信させれば、ユーザにとっては、放送とネット動画とをシームレスに視聴することができると着想した。
【０００８】
さらに、ネット動画で配信する動画コンテンツを、現在、実際にＴＶチューナにより放送されている番組の動画コンテンツを考慮して、ユーザが好んで視認すると想定される動画コンテンツを配信することで、ネット動画の視聴が増えることが期待できるのではないかと着想した。
【０００９】
本発明の目的は、ＴＶチューナに放送が設定されていない空チャンネルに、ネット動画を設定することで、放送とネット動画配信を融合したテレビ、テレビシステム、方法、プログラムを提供することを目的とする。
【課題を解決するための手段】
【００１０】
本発明では、以下のような解決手段を提供する。
【００１１】
（１）リモコンにより複数のチャンネルを切替え可能であり、ネットワークを経由して受信した動画コンテンツを再生可能なテレビであって、当該リモコンは、前記複数のチャンネルのうちいずれかのチャンネルを選択するための複数のチャンネル選択ボタンと、当該複数のチャンネル選択ボタンのうち、ＴＶチューナにより放送が設定されていない空チャンネルを選択するためのチャンネル選択ボタンが、ユーザにより操作されると、動画コンテンツを再生可能とする信号を送信する送信デバイスと、を備え、当該テレビは、当該動画コンテンツを再生可能とする信号を受信したことに応じて、選択部により選択されていた動画コンテンツを出力する出力部を備えるテレビ。
【００１２】
（１）の発明では、ＴＶチューナにより放送が設定されていない空チャンネルを選択するためのチャンネル選択ボタンがユーザにより操作されると、動画コンテンツを再生可能とする信号を送信し、テレビが、このリモコンが送信した動画コンテンツを再生可能とする信号を受信したことに応じて、選択部により選択されていた動画コンテンツを出力する。
【００１３】
したがって、（１）の発明によれば、ＴＶチューナに放送が設定されていない空チャンネルで、ネット動画の動画コンテンツを配信させることで、ユーザは、放送とネット動画とをシームレスに視聴することができる。結果として、放送とネット動画配信を融合したテレビを提供することが可能となる。
【００１４】
（２）前記選択部は、当該動画コンテンツを再生可能とする信号を受信する前に、受信した放送番組表に基づいて、動画コンテンツを選択する、（１）に記載のテレビ。
【００１５】
（２）の発明では、リモコンから動画コンテンツを再生可能とする信号を受信する前に、受信した放送番組表に基づいて、動画コンテンツを選択する。したがって、このテレビは、放送番組表を考慮した動画コンテンツを空チャンネルに配信することができる。
【００１６】
（３）前記選択部は、前記放送番組表に基づいて、前記空チャンネル以外のチャンネルで、放送されていないジャンルの動画コンテンツを選択する、（２）に記載のテレビ。
【００１７】
（３）の発明では、放送番組表に基づいて、空チャンネル以外のチャンネルで、放送されていないジャンルの動画コンテンツを選択するため、ネット動画で配信する動画コンテンツを、実際にＴＶチューナにより放送されている番組の動画コンテンツを考慮して、放送されていない動画コンテンツを配信することで、ネット動画の視聴が増えることが期待できる可能性がある。
【００１８】
（４）前記選択部は、前記リモコンから所定数以上のリモコン信号を受信した際に、動画コンテンツを選択する、（１）から（３）に記載のテレビ。
【００１９】
（４）の発明では、選択部は、リモコンから所定数以上のリモコン信号を受信した際に、動画コンテンツを選択する。つまり、ユーザが視聴するチャンネルを決定するまで、リモコンを操作して、複数のチャンネル切替の信号を送信した場合には、ユーザが気に入ったチャンネルを決定できない場合が多いので、この場合に、選択部が、空チャンネルに動画コンテンツを選択することで、空チャンネルの視聴が期待できる。
【００２０】
（５）前記選択部が前記動画コンテンツを選択した後に、前記空チャンネルに前記動画コンテンツが選択されたことを通知する（１）から（４）に記載のテレビ。
【００２１】
（５）の発明では、選択部が動画コンテンツを選択した後に、空チャンネルに動画コンテンツが選択されたことを通知する。したがって、空チャンネルに動画コンテンツが選択されたことをユーザが知ることができる。
【００２２】
（６）前記動画コンテンツが選択されていることを通知するとは、前記ユーザに選択されている放送とともに、前記動画コンテンツを出力することで通知する（５）に記載のテレビ。
【００２３】
（６）の発明では、ユーザに選択されている放送とともに、動画コンテンツを出力することで、ユーザに動画コンテンツが空チャンネルに視聴ができることを通知することができる。
【００２４】
（７）前記動画コンテンツが選択されていることを通知するとは、前記ユーザに選択されている放送とともに、前記動画コンテンツのダイジェストを出力することで通知する（５）に記載のテレビ。
【００２５】
（７）の発明では、ユーザに選択されている放送とともに、動画コンテンツのダイジェストを出力することで、ユーザに動画コンテンツが空チャンネルに視聴ができ、ダイジェストにより、大凡の内容を知らせることができる。
【００２６】
（８）リモコンにより複数のチャンネルを切替え可能であり、ネットワークを経由して受信した動画コンテンツをテレビに出力するテレビシステムであって、ＴＶチューナにより放送が設定されていない空チャンネルのためのチャンネル選択ボタンを割当てるセット・トップ・ボックスと、前記セット・トップ・ボックスが当該チャンネル選択ボタンの切替え信号を前記リモコンから受信したことに応じて、予め選択された動画コンテンツを出力する出力部を備えるテレビと、を備えるテレビシステム。
【００２７】
（８）の発明では、セット・トップ・ボックスが、ＴＶチューナにより放送が設定されていない空チャンネルのためのチャンネル選択ボタンを割当て、セット・トップ・ボックスが当該チャンネル選択ボタンの切替え信号をリモコンから受信したことに応じて、テレビが、予め選択された動画コンテンツを出力する。
【００２８】
したがって、（８）の発明によれば、ＴＶチューナに放送が設定されていない空チャンネルに、ネット動画の動画コンテンツを配信させることで、ユーザは、放送とネット動画とをシームレスに視聴することができる。
【００２９】
（９）リモコンにより複数のチャンネルを切替え可能であり、ネットワークを経由して受信した動画コンテンツをテレビに出力するテレビシステムが実行する方法であって、セット・トップ・ボックスが、ＴＶチューナにより放送が設定されていない空チャンネルのためのチャンネル選択ボタンを割当てるステップと、前記テレビが、前記セット・トップ・ボックスが当該チャンネル選択ボタンの切替え信号を前記リモコンから受信したことに応じて、予め選択された動画コンテンツを出力するステップと、を備える方法。
【００３０】
（９）の発明では、セット・トップ・ボックスが、ＴＶチューナにより放送が設定されていない空チャンネルのためのチャンネル選択ボタンを割当て、セット・トップ・ボックスが当該チャンネル選択ボタンの切替え信号をリモコンから受信したことに応じて、テレビが、予め選択された動画コンテンツを出力する。
【００３１】
したがって、（９）の発明によれば、ＴＶチューナに放送が設定されていない空チャンネルに、ネット動画の動画コンテンツを配信させることで、ユーザは、放送とネット動画とをシームレスに視聴することができる。
【００３２】
（１０）リモコンにより複数のチャンネルを切替え可能であり、ネットワークを経由して受信した動画コンテンツをテレビに出力するテレビシステムが実行するプログラムであって、セット・トップ・ボックスに、ＴＶチューナにより放送が設定されていない空チャンネルのためのチャンネル選択ボタンを割当てるステップを実行させるためのプログラムと、前記テレビに、前記セット・トップ・ボックスが当該チャンネル選択ボタンの切替え信号を前記リモコンから受信したことに応じて、選択された動画コンテンツを出力するステプを実行させるためのプログラムと、を備えるプログラム。
【００３３】
（１０）の発明では、ＴＶチューナにより放送が設定されていない空チャンネルのためのチャンネル選択ボタンを割当て、セット・トップ・ボックスが当該チャンネル選択ボタンの切替え信号をリモコンから受信したことに応じて、テレビが、選択された動画コンテンツを出力する。
【００３４】
したがって、（１０）の発明によれば、ＴＶチューナに放送が設定されていない空チャンネルに、ネット動画の動画コンテンツを配信させることで、ユーザは、放送とネット動画とをシームレスに視聴することができる。
【発明の効果】
【００３５】
本願発明によれば、ＴＶチューナに放送が設定されていない空チャンネルに、ユーザが好んで視聴すると想定されるネット動画を設定することで、放送とネット動画配信を融合したテレビ、テレビシステム、方法、プログラムを提供することが可能となる。
【図面の簡単な説明】
【００３６】
【図１】テレビ１００、リモコン１０、ＳＴＢ１０５から構成されるテレビシステム１を示す概念図である。
【図２】テレビ１００、リモコン１０、ＳＴＢ１０５の機能ブロック図である。
【図３】動画コンテンツ出力処理のフローチャート図である。
【図４】動画コンテンツ選択処理１のフローチャート図である。
【図５】放送番組表の一例を示す図である。
【図６】動画コンテンツ選択処理２のフローチャート図である。
【図７】選択された動画コンテンツ３１０を表示した画面イメージ図である。
【図８】視聴率に基づくダイジェスト作成を行なうためのグラフである。
【発明を実施するための形態】
【００３７】
以下、本発明を実施するための最良の形態について図を参照しながら説明する。なお、これはあくまでも一例であって、本発明の技術的範囲はこれに限られるものではない。
【００３８】
図１は、本発明の好適な実施形態であるテレビシステム１を示す概念図である。テレビシステム１は、テレビ１００、複数のチャンネルを切替えるリモコン１０、ＳＴＢ１０５とから構成される。
【００３９】
テレビ１００は、通常の家庭用テレビであってよく、図２の機能ブロック図に示すように、動画コンテンツを映像・音声出力する映像・音声出力部１００であってもよいし、ＳＴＢ１０５を含めたＳＴＢ内蔵テレビ２００であってもよい。この場合には、ＳＴＢ１０５が内蔵されているため、外付けされるＳＴＢ１０５を要しない。以下では、ＳＴＢ１０５が外付けである場合で説明する。
【００４０】
なお、テレビ１００が、映像・音声出力する映像・音声出力部１００である場合には、テレビ１００が、パソコン等の情報処理端末や他の電化製品で使用される音声出力付きのモニタであってもよい。
【００４１】
ＳＴＢ１０５は、ＳＴＢ(Ｓｅｔ  Ｔｏｐ  Ｂｏｘ)であって、ＴＶチューナ１２０と、空チャンネル割当手段１１１と、動画コンテンツ選択手段１１２と、放送番組表取得手段１１３と、動画コンテンツ記憶部１３０と、リモコン信号受信部１４０とを備える。ＳＴＢ１０５は、通常のコンピュータを備え、ＣＰＵ（Ｃｅｎｔｒａｌ  Ｐｒｏｃｅｓｓｉｎｇ  Ｕｎｉｔ）とメモリ等の記憶部を備える。
【００４２】
ＴＶチューナ１２０は、衛星放送、地上波デジタル放送、地上波アナログ放送、ケーブルテレビ放送、ＩＰ（Ｉｎｔｅｒｎｅｔ  Ｐｒｏｔｏｃｏｌ）放送等（以下、「衛星放送等」）の放送網の電波又は放送データを受信して、テレビ１００に出力させる装置である。ＴＶチューナ１２０は、インターネット等のネットワーク経由で動画コンテンツを受信し、再生可能な機能を有する。ここで、ＩＰ放送とは、放送番組表に基づいてインターネット経由で配信される放送であって、後述する空チャンネルに設定される（割当てられる）動画コンテンツもインターネット経由で配信されるが、放送番組表に基づいて配信されない（ビデオ・オン・デマンドである）ため、この点で区別される。ＴＶチューナ１２０で受信する複数の放送の各々が、リモコン１０で選択される複数のチャンネルの各々に対応付けて設定される（割当てられる）。
【００４３】
空チャンネル割当手段１１１は、リモコン１０のチャンネル選択ボタン１８に、ＴＶチューナ１２０が受信した放送が設定されていないチャンネルを検索する機能と、空チャンネルを選択するリモコン信号を受信した場合には、予め選択された動画コンテンツを出力するためのチャンネル割当てを実行する機能を有する。
【００４４】
通常、放送地域ごとに、デフォルト値で、各放送局とチャンネル番号とが対応付けられて、放送が割当てられるが、ここで放送が割当てられないチャンネルが、空チャンネルに該当する。ＴＶチューナ１２０が、正常な電波を受信できないチャンネルを空チャンネルと判断してもよいし、図５に示すような、放送番組表に基づいて、放送番組の情報が取得できないチャンネルを空チャンネルと判断してもよい。
【００４５】
動画コンテンツ選択手段１１２は、後述する動画コンテンツ選択処理１，２を実行することで、動画コンテンツを選択する機能を有する。
【００４６】
放送番組表取得手段１１３は、上述の衛星放送等の放送番組表を電波もしくはインターネット経由で取得する手段である。例えば、地上波によりＥＰＧ（Ｅｌｅｃｔｒｉｃ  Ｐｒｏｇｒａｍ  Ｇｕｉｄｅ）を取得する機能であってよい。
【００４７】
動画コンテンツ記憶部１３０は、動画コンテンツを記憶する機能を有し、ハードディスク、ＳＳＤ（Ｓｏｌｉｄ  Ｓｔａｔｅ  Ｄｒｉｖｅ）であってよい。動画コンテンツ記憶部１３０には、事前に衛星放送等により放送又は配信された動画コンテンツが番組ごとに、後述するジャンルが付与されて、蓄積されていてもよいし、後述する動画コンテンツ選択処理で、動画コンテンツを選択する際に、外部のサーバ等にアクセスして、動画コンテンツを取得した際に、一時的に蓄積される記憶部であってよい。
【００４８】
なお、ＳＴＢ１０５が、定期的に、外部サーバにアクセスすることで、動画コンテンツを取得し、選択される動画コンテンツを動画コンテンツ記憶部１３０に記憶しておいてもよい。この場合は、外部サーバにユーザごとに動画コンテンツもしくは動画コンテンツの名称等のインデックスが蓄積され、ユーザの視聴履歴に基づいた動画コンテンツを取得してもよい。
【００４９】
リモコン信号受信部１４０は、リモコン１０のリモコン信号を受信する機能を有する。
【００５０】
リモコン１０は、ＳＴＢ１０５にリモコン信号を送信することで、チャンネルを切替える機能を有する遠隔操作端末である。リモコン１０は、複数のチャンネルを切替えるためにチャンネル選択ボタン１８を有し、チャンネル選択ボタン１８は、図１に示すように、「１」から「９」のようなチャンネル番号ボタン１２を備え、チャンネル番号ボタン１２の中には、ＴＶチューナにより放送が設定されていない空チャンネルのためのボタンが含まれる。
【００５１】
すなわち、本発明では、例えば、「１」から「９」のようなチャンネル番号のうち、ＴＶチューナにより設定されていない空チャンネル（例えば、地上波アナログであれば「２」、「１１」等）を少なくとも一つ有することを前提とする。
【００５２】
リモコン信号送信部１５は、リモコン信号受信部１４０へチャンネルを切替えるためのリモコン信号を送信する。リモコン信号送信部１５は、チャンネル選択ボタン１８の選択操作をユーザから受け付けたことに応じて、選択された動画コンテンツを再生可能とする信号を送信する送信デバイスである。
【００５３】
［動画コンテンツ出力処理］
最初に、ＳＴＢ１０５は、リモコン１０からリモコン信号を受信したか否かを判断する（ステップＳ０１）。このリモコン信号は任意の信号であってよく、ユーザがリモコン１０を操作したことを、ＳＴＢ１０５が判断できればよい。例えば、この判断は、リモコン信号の受信で判断されるのみならず、テレビの電源がオンされたか否かの処理で代替されてもよい。
【００５４】
次に、ＳＴＢ１０５は、動画コンテンツ選択処理を実行する（ステップＳ０２）。動画コンテンツ選択処理としては、図４、図６に示すように、動画コンテンツ選択処理１、２の実施例を有する。まず、動画コンテンツ選択処理１について以下に説明する。
【００５５】
最初に、ＳＴＢ１０５の放送番組表取得手段１１３は、現日時の放送番組表を取得する（ステップＳ２０）。例えば、図５に示すような、放送番組表を取得する。ここでは、「１」と「３」チャンネルが、ＴＶチューナにより放送が設定されたチャンネルであり、放送番組が割当てられている。
【００５６】
次に、ＳＴＢ１０５は、取得した放送番組表の各番組についてジャンル検索処理を行う（ステップＳ２１）。すなわち、ＳＴＢ１０５には、予め、各放送番組に対して該当するジャンルが対応付けられ、記憶されている。この対応付けを参照して、各放送番組のジャンルを検索する。ここで、ジャンルとは放送番組の分類であり、放送番組が「ニュース」であれば、ジャンルは「報道」であるし、放送番組が「フランス語講座」であれば、ジャンルは「語学」である。ジャンルは、放送番組の種類に応じて、種類が存在するが、この説明では、ジャンルとしては、「報道」、「ガーデニング」、「ライフスタイル」、「語学」、「アニメ」、「スポーツ」が存在するとする。
【００５７】
ＳＴＢ１０５は、ジャンルを検索した結果、図５のジャンル分類のテーブルを作成する。次に、ＳＴＢ１０５は、現時刻の放送番組から検索されたジャンルの中で、現時刻で放送されていないジャンルがあるかを判断する（ステップＳ２２）。すなわち、図５の例では、７時から８時の時間帯で、報道、ガーデニングのジャンルが存在するので、その他のジャンルとして、例えば、「アニメ」、「スポーツ」などが考えられる。
【００５８】
放送されていないジャンルがある（ステップＳ２２：「ＹＥＳ」）場合は、ステップＳ２４に処理を移し、放送されていないジャンルから動画コンテンツを選択する（ステップＳ２４）。
【００５９】
放送されていないジャンルがない（ステップＳ２２：「ＮＯ」）場合は、ステップＳ２３に処理を移し、「お気に入り」のジャンルから動画コンテンツを選択する（ステップＳ２３）。この場合は、事前にユーザが登録したジャンル（お気に入りのジャンル）から動画コンテンツを任意に選択する。
【００６０】
次に、ＳＴＢ１０５は、空チャンネルの放送通知処理を実行する（ステップＳ２５）。すなわち、空番号チャネルの番号と、ジャンルと、動画コンテンツの名称とを、テレビ１００に表示又は音声出力し、空チャンネルで動画コンテンツが出力されることを通知する。
【００６１】
なお、ステップＳ２４とステップＳ２３において、動画コンテンツの動画データそのものが、ＳＴＢ１０５の動画コンテンツ記憶部１３０に記憶されていない場合は、外部のサーバにアクセスして、動画コンテンツを取得してもよい。この場合、ＳＴＢ１０５は、動画コンテンツの名称とジャンルのインデックス情報のみ記憶し、放送されていないジャンルがあるか否かを判断する。又は、インデックス情報も外部のサーバから逐次、ダウンロードして判断してもよい。
【００６２】
図３に説明を戻す。リモコン１０が、空チャンネルに対するチャンネル選択ボタンの選択操作をユーザから受け付けたことに応じて、リモコン１０が、空チャンネルに切替えるための信号（動画コンテンツを再生可能とする信号）を送信し、これをＳＴＢ１０５が受信したか否かを判断する（ステップＳ０３）。この前提として、空チャンネル割当手段１１１が、どのチャンネルが空チャンネルであるかを検索しておく。
【００６３】
ＳＴＢ１０５は、空チャンネルのリモコン信号を受信（動画コンテンツを再生可能とする信号を受信）した場合は、ステップＳ０４に処理を移す（ステップＳ０３：「ＹＥＳ」）。ＳＴＢ１０５は、選択された動画コンテンツを再生し、テレビ１００に出力する（ステップＳ０４）。例えば、図５の放送番組表では、Ｓ２２が「ＹＥＳ」の場合は、７時から８時（ある日において）において、ジャンルが「報道」及び「ガーデニング」ではない、例えば、「スポーツ」を選択して、動画コンテンツとして「プロ野球」を選択してよい。この場合、動画コンテンツ「プロ野球」が空チャンネルとして、例えば「２」チャンネルで出力される。一方、ＳＴＢ１０５は、空チャンネルのリモコン信号を受信しない場合は、ステップＳ０３をループする（ステップＳ０３：「ＮＯ」）。
【００６４】
このように、動画コンテンツ選択処理１により、現時点で、放送されているジャンルとは異なるジャンルの動画コンテンツを出力するため、動画コンテンツの視聴の可能性が高まる。例えば、選挙期間中等は、多くの放送チャンネルが選挙番組の放送を行うことから、「報道」のジャンルに偏るが、本実施例では、空番組チャンネルに、放送されているジャンルとは異なるジャンルの動画コンテンツを放送するため、この空番組チャンネルの視聴の可能性が高まる。
【００６５】
［動画コンテンツ選択処理２］
動画コンテンツ選択処理１の代替的な態様として、動画コンテンツ選択処理２について説明する。ＳＴＢ１０５は、所定数以上のリモコン信号をリモコン１０から受信したか否かを判断する（ステップＳ３０）。
【００６６】
つまり、ユーザが視聴するチャンネルを決定するまで、リモコンを操作して、複数のチャンネル切替の信号を送信した場合には、ユーザが気に入ったチャンネルを決定できない場合が多いので、この場合に、動画コンテンツ選択処理２を実行する。
【００６７】
ステップＳ３０において、所定数以上のリモコン信号を受信した（ステップＳ３０:「ＹＥＳ」）場合には、処理をステップＳ３１に移し、放送番組取得処理を実行する（ステップＳ３１）。ここで、所定数以上のリモコン信号を受信するとは、例えば、チャンネル選択ボタン１８において、チャンネル切替えの異なる種類のボタンが操作されることにより、異なるリモコン信号が送信され、これを受信することである。
【００６８】
本処理は、動画コンテンツ選択処理１と同様に、ＳＴＢ１０５が、放送番組表を取得する。ステップＳ３０において、所定数以上のリモコン信号を受信しない（ステップＳ３０:「ＮＯ」）場合には、ステップＳ３０をループする。
【００６９】
次に、ステップＳ３２、ステップＳ３３、ステップＳ３４又はＳ３５、ステップＳ３６に処理を移すが、動画コンテンツ選択処理１の対応するステップＳ２２、ステップＳ２３又はＳ２４、ステップＳ２５と同様に、これらの処理を実行し、動画コンテンツ出力処理のステップＳ０３に処理を移し、動画コンテンツ再生・出力処理を実行する（ステップＳ０４）。
【００７０】
動画コンテンツ選択処理２では、ユーザが視聴するチャンネルを決定するまで、リモコンを操作して、複数のチャンネル切替の信号を送信した場合には、ユーザが気に入ったチャンネルを決定できない場合が多いので、この場合に、選択部が、空チャンネルに動画コンテンツを選択することで、空チャンネルの視聴が期待できる。
【００７１】
［動画コンテンツ通知処理］
上述のように、動画コンテンツ選択処理１，２の最後の処理で、「空チャンネル放送通知」（ステップＳ２５又はＳ３６）を実行するが、上述とは異なる他の通知の実施態様について説明する。
【００７２】
図７は、選択された動画コンテンツ３１０をテレビ１００に表示した画面イメージ図である。すなわち、ＳＴＢ１０５は、テレビ１００に、現在、ユーザにより選択されている放送３００を表示するとともに、小さなウィンドウにポップアップ画面として、選択された動画コンテンツ３１０（○×バラエティ）を出力する。図７に示すように、動画コンテンツの名称と、動画コンテンツの一部の画像を、現在選択されているチャンネルの放送とともに出力することで、選択された動画コンテンツの通知を行なう。
【００７３】
ここで、現在、ユーザにより選択されている放送３００のチャンネルが変更されても、引き続き、小さなウィンドウにポップアップ画面として、選択された動画コンテンツ３１０が出力されてもよい。すなわち、ギャザリング（チャンネルを所定時間に変更することで、現在、放送されている全ての放送の内容を確認する）中に、ユーザが興味をもつと考えられる動画コンテンツを、逐次、出力することで、動画コンテンツを一定時間、適切に通知することができる。
【００７４】
また、小さなウィンドウに、視聴ボタン３２０を設けてもよい。視聴ボタン３２０をユーザが操作することで、選択された動画コンテンツを放送する空チャンネルにチャンネルを切替え、選択された動画コンテンツを出力する。
【００７５】
なお、小さなウィンドウに出力する動画コンテンツが、動画コンテンツのダイジェスト映像であってよい。ダイジェスト映像とは、動画コンテンツ全体を所定時間内（例えば、２分程度）にまとめた映像（動画又は静止画像）である。ダイジェスト映像は、予め動画コンテンツの提供者が作成し、記憶しておき、動画コンテンツとともにダウンロード可能としてもよい。
【００７６】
ダイジェスト映像の作成方法としては、動画コンテンツ提供側のサーバが、動画コンテンツの視聴率に基づいて、自動作成してもよい。図８は、視聴率に基づくダイジェスト作成を行なうためのグラフである。すなわち、図８に示すように、動画コンテンツの全体の時間軸（横軸）の中で、獲得した視聴率（縦軸）を集計しておき、所定の視聴率（例えば、１５％）以上の時間帯の動画コンテンツのみを集計し、ダイジェスト映像としてもよい。この図では、時間帯１５分から２０分及び、４８分あたりの映像のみが取得されてダイジェスト映像を構成する。
【００７７】
上述した手段、機能は、ＳＴＢ１０５又はＳＴＢ内蔵テレビ２００であるコンピュータ（ＣＰＵ，情報処理装置，各種端末を含む）が、所定のアプリケーションプログラムを読み込んで、実行することによって実現される。アプリケーションプログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からアプリケーションプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７８】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７９】
１  テレビシステム
１０  リモコン
１００  テレビ
１０５  ＳＴＢ（セット・トップ・ボックス）
【図１】
2011135159.tif 000003
【図２】
2011135159.tif 000004
【図３】
2011135159.tif 000005
【図４】
2011135159.tif 000006
【図５】
2011135159.tif 000007
【図６】
2011135159.tif 000008
【図７】
2011135159.tif 000009
【図８】
2011135159.tif 000010